(57)【要約】【課題】テレビ会社からユーザに情報を伝達する方法である。【解決手段】情報発信側１には文字信号を送信する文字情報自動送出設備２と音声信号を送信する音声告知設備３を備え、情報受信側５には映像音声情報を写すテレビ６と音声受信端末９を備えている。文字情報自動送出設備２に緊急情報を入力すると、その情報を音声告知設備３からの音声信号をケーブル１０を介して音声受信端末８によって音声を発する。【選択図】図１
2008270865.tif 000002
【特許請求の範囲】
【請求項１】
情報発信側から複数の画像音声情報をケーブルを介して情報受信側に送信し、情報受信側ではテレビを設置して選択された前記画像音声情報をテレビに写す情報伝達方法であり、
前記情報発信側には文字信号を送信する文字情報自動送出設備と音声信号を送信する音声告知設備を備え、
前記情報受信側には画像音声情報を写すテレビと音声受信端末を備え、
前記文字情報自動送出設備に緊急情報を入力すると、その情報を前記音声告知設備に送信し、この音声告知設備によって音声信号を前記ケーブルを介して情報受信側に送信し、その信号を音声受信端末によって音声を発することを特徴とする情報の伝達方法。
【請求項２】
情報発信側から複数の画像音声情報をケーブルを介して情報受信側に送信し、情報受信側ではテレビを設置して選択された前記画像音声情報をテレビに写す情報伝達方法であり、
前記情報発信側には文字情報自動送出設備と音声信号を送信する音声告知設備を備え、
前記情報受信側には画像音声情報を写すテレビを備え、
前記文字情報自動送出設備に緊急情報を入力すると、その情報を前記音声告知設備に送信し、
前記文字情報自動送出設備に緊急情報を入力すると、その情報を前記音声告知設備に送信し、この音声告知設備からの音声信号を総合無線装置に送信し、この総合無線装置から前記情報を区域に設置の拡声器で発声することを特徴とする情報の伝達方法。
【請求項３】
情報発信側から複数の画像音声情報をケーブルを介して情報受信側に送信し、情報受信側ではテレビを設置して選択された前記画像音声情報をテレビに写す情報伝達方法であり、
前記情報発信側には文字情報自動送出設備を備え、
前記情報受信側には画像音声情報を写すテレビを備え、
前記文字情報自動送出設備に緊急情報を入力すると、その緊急情報を総合無線装置に送信し、この総合無線装置でかえられる前記緊急信号の音声信号を区域に設置の拡声器で発声することを特徴とする情報の伝達方法。
【発明の詳細な説明】
【技術分野】
【０００１】
本発明は、テレビ管理者からケーブルテレビ契約者に情報を伝達する方法に関する。
【背景技術】
【０００２】
現在、ケーブルテレビが発達し、多くの家庭（ケーブルテレビ管理者（例えば、ケーブルテレビ会社）と契約している者）では、ケーブルテレビを介して見ている。ケーブルテレビ管理者は、ケーブルテレビ契約者に、種々の情報（主として、テレビ画像）を送信し、ケーブルテレビ契約者は、その情報をテレビを介して見ている。
又、このテレビ管理者は、ケーブルを介して多くの情報伝達が可能であることに鑑みて、チャンネルを介して画像音声情報の他に文字情報を各ケーブルテレビ契約者に送ることができる。
又、前記ケーブルテレビ管理者でない各テレビ局は、前記文字情報を、番組（画像）を介してロールスーパーとして、画面の一部に文字を表示し、この文字情報は音声と異なり、画面の一部に映し出すため、テレビ画像と音声に邪魔しないで情報を伝達することができる。
【発明の開示】
【発明が解決しようとする課題】
【０００３】
前記した文字情報は、多くは緊急情報に使用され、各テレビ会社は、自社が提供する画面の一部として送信するので、その画像を見ているケーブルテレビ契約者等は、前記緊急情報を知ることができるが、その画像を見ていないと、その緊急情報を知ることができない。
そこで、ケーブルテレビ管理者は、係る緊急情報に対して、他社のテレビ画像にも表示するように、各チャンネルに文字情報を併せて送信して、全てのチャンネルで緊急情報を見ることができるようにすることが考えられる。
しかし、ケーブルテレビ管理者は、著作権法の関係で、他社のテレビ画像を、そのまま流さねばならず、前記のような独自の文字情報を、他社のテレビ画像と共に送信することができない。
そのため、ケーブルテレビ管理者は、他のテレビ会社の画像を見ているケーブルテレビ契約者に、有意義な文字情報を伝達することができないという課題がある。
そこで、本発明は、前記緊急等の情報を伝達するに当たって、テレビチャンネルを変更する旨の有意義な情報を各ケーブルテレビ契約者に提供可能にするものである。
【課題を解決するための手段】
【０００４】
請求項１の報伝達方法は、情報発信側から複数の画像音声情報をケーブルを介して情報受信側に送信し、情報受信側ではテレビを設置して選択された前記画像音声情報をテレビに写す。又、情報発信側には文字信号を送信する文字情報自動送出設備と音声信号を送信する音声告知設備を備え、情報受信側には画像音声情報を写すテレビと音声受信端末を備えている。そこで、文字情報自動送出設備に緊急情報を入力すると、その情報を前記音声告知設備に送信し、この音声告知設備によって音声信号を前記ケーブルを介して情報受信側に送信し、その信号を音声受信端末によって音声を発する。
この音声受信端末によって、他社のテレビを見ている者も、緊急事態が発生したことを知ることができ、緊急画像が写しているテレビチャンネルに替えるように促すことができる。
【０００５】
又、請求項２の情報伝達方法は、情報発信側から複数の画像音声情報をケーブルを介して情報受信側に送信し、情報受信側ではテレビを設置して選択された前記画像音声情報をテレビに写す情報伝達方法である。又、情報発信側には文字情報自動送出設備と音声信号を送信する音声告知設備を備え、情報受信側には画像音声情報を写すテレビを備えてある。又、文字情報自動送出設備に緊急情報を入力すると、その情報を前記音声告知設備に送信する。
そこで、文字情報自動送出設備に緊急情報を入力すると、その情報を前記音声告知設備に送信する。この音声告知設備からの音声信号を総合無線装置に送信し、この総合無線装置から前記情報を区域に設置の拡声器で発声するので、各ケーブルテレビ契約者は、拡声器によって緊急情報を知ることができ、緊急画像が写しているテレビチャンネルに替えるように促すことができる。
【０００６】
又、請求項３の情報の伝達方法は、情報発信側から複数の画像音声情報をケーブルを介して情報受信側に送信し、情報受信側ではテレビを設置して選択された前記画像音声情報をテレビに写す情報伝達方法である。又、情報発信側には文字情報自動送出設備を備え、情報受信側には画像音声情報を写すテレビを備えている。
そこで、文字情報自動送出設備に緊急情報を入力すると、その緊急情報を総合無線装置に送信し、この総合無線装置でかえられる前記緊急信号の音声信号を区域に設置の拡声器で発声することによって、各ケーブルテレビ契約者は、拡声器によって緊急情報を知ることができ、緊急画像が写しているテレビチャンネルに替えるように促すことができる。
【発明の効果】
【０００７】
請求項１の情報伝達方法は、音声受信端末によって、他社のテレビを見ている者も、緊急事態が発生したことを知って、緊急画像が写っているテレビチャンネルに替えることができる。
又、請求項２、３の情報伝達方法は、音声受信端末の設置を不要とし、他社のテレビを見ている者も、緊急事態が発生したことを拡声器を介して知ることができ、緊急画像が写っているテレビチャンネルに替えることができる。
【発明を実施するための最良の形態】
【０００８】
本発明を図面を参照して説明する。図１は、情報発信側（ケーブルテレビ管理者（ケーブルテレビ会社等））１と情報受信側５（各ケーブルテレビ契約者）とが、有線ケーブル（或いは、無線）１０を介して、情報を授受する概念図である。
尚、下記する機器等はよく知られたハードウエア構成であり、その機器を制御するソフトウエアもよく知られているので機器の機能についてのみ説明する。
【０００９】
情報発信側１（ケーブルテレビ管理者）には、図示しないが、他社のテレビ局からの画像音声情報（画像と音声）を含めて、ケーブルを介して、情報受信側（各ケーブルテレビ契約者）にチャンネル毎に送信している。従って、各ケーブルテレビ契約者では、見たいチャンネルにセットすると、情報発信側から送信される種々のテレビチャンネルの中から、画像音声情報を選択して見ることができる。
【００１０】
又、情報発信側１には、前記ケーブル１０に接続の文字情報自動送出設備２が備えてあり、この文字情報自動送出設備２は、送信する文字を文字入力装置２ａから入力すると、ケーブル１０を介して、その文字を情報受信側５に設置の特定のチャンネルにおけるテレビ６に表示するように送信する。
尚、ケーブル管理者が文字情報を表示できるのは自局のテレビチャンネルのみであって、前記した著作権法によって、他社のチャンネル画像には表示できない。
従って、他局のテレビ番組を見ているケーブルテレビ契約者は、前記文字情報自動送出設備２から送信する文字情報を見ることはできない。
【００１１】
（音声受信端末の設置の場合）
そこで、情報受信側（ケーブルテレビ契約者）５に音声受信端末８が設置してある場合について説明する。
情報発信側１には音声告知設備３が備えてあり、この音声告知設備３は、文字情報自動送出設備２からの制御信号等を送信する制御ケーブル４が接続してある。そして、その制御ケーブル４に制御信号と、その後に続く文字情報を受信すると、その文字情報に基づく音声信号を記憶してある中から選択して、その音声信号をケーブル１０を介して各ケーブルテレビ契約者に送信する。
【００１２】
尚、前記入力される文字情報は、（１）、（２）…という簡便な記号であり、この記号は、予め複数決められている、例えば、（１）「只今、防災情報を流しています。詳細は＊＊チャンネルに切り替えて下さい。」、（２）「只今、避難勧告が出ています。詳細は、＊＊チャンネルに切り替えて下さい。」等に対応している。
又、前記（１）（２）等の音声情報はメモリ等に予め音声として録音されている。
尚、前記音声情報は、音声自体が録音してある方式の他に、文字信号から音声合成装置を介して音声を作成する構成であってもよい。
【００１３】
そして、前記音声告知設備３は、前記文字情報自動送出設備２から制御信号と送信する文字を入力されると、音声をケーブル１０を介して各ケーブルテレビ契約者に送信すると、音声受信端末８を設置している者は、ケーブルテレビ管理者のテレビ画像を見ている者の他に、他局のテレビ画像を見てる者であっても、音声受信端末８から文字情報を聞くことができる。
【００１４】
即ち、「緊急情報」を各ケーブルテレビ契約者に知らせる必要が生じたときには、先ず、文字入力装置２ａに「緊急情報」として入力すると、その文字情報は、文字情報自動送出設備２からケーブル１０を介して各ケーブルテレビ契約者に、例えば、（１）「只今、防災情報を流しています。詳細は＊＊チャンネルに切り替えて下さい。」という音声情報として発する。
そこで、ケーブルテレビ管理者が提供するテレビ画像を見ている者は、その画像に、前記緊急文字情報として表示されるので知ることができる。
【００１５】
一方、前記「緊急情報」の入力は、文字情報自動送出設備２から制御信号等を制御ケーブル４を介して音声告知設備３に送信され、音声告知設備３はその緊急情報を音声に変換して、ケーブル１０を介して各ケーブルテレビ契約者に送信し、音声受信端末８から音声を発する。
そのため、他局のテレビ画像を見ている者であっても、音声受信端末８によって、（１）「只今、防災情報を流しています。詳細は＊＊チャンネルに切り替えて下さい。」という音声情報を聞くことができる。
【００１６】
（音声受信端末が設置されていないの場合）
次に、ケーブルテレビ契約者は音声受信端末８を備えていないが、町内には、防災無線等の設備が設置してあり、各区域毎に、拡声器が備えてある場合について説明する。
即ち、前記各区域に設置の拡声器には無線機が備えてあり、この無線機が役場等に設置の総合無線装置から送信の音声情報を受信すると、その音声は拡声器を介して各ケーブルテレビ契約者に伝達される。
そこで、前記文字入力装置２ａに「緊急情報」として入力すると、その文字情報は、文字情報自動送出設備２から制御信号等を制御ケーブル４を介して音声告知設備３に送信され、音声告知設備３はその緊急情報の内容から、予め記録されている音声情報の中から選択する。
【００１７】
そして、この音声情報は、音声告知設備３から前記総合無線装置に「音声情報」として送信すると、この総合無線装置から各所にある無線機に送信されて拡声器から、例えば、（１）「只今、防災情報を流しています。詳細は＊＊チャンネルに切り替えて下さい。」という音声を発する。尚、前記各機器の間を送信する情報は、無線式と有線式の何れかで送信すればよい。
【００１８】
即ち、「緊急情報」の入力を文字情報自動送出設備２に入力すると、制御信号等を制御ケーブル４を介して音声告知設備３に送信され、音声告知設備３は、音声情報をケーブル１０を介して各ケーブルテレビ契約者に送信すると共に、前記総合無線装置に送信すると、総合無線装置は各拡声器に備えてある無線機に送信し、拡声器から（１）「只今、防災情報を流しています。詳細は＊＊チャンネルに切り替えて下さい。」という音声情報を流すことによって、各ケーブルテレビ契約者ではその情報を得ることができ、テレビチャンネルをセットすることによって、緊急画像を見ることができる。
【００１９】
次に、音声告知設備３が情報発信側（ケーブルテレビ管理者）に備えていなくて、前記総合無線装置に備えている場合について説明する。
この場合、「緊急情報」の入力を文字情報自動送出設備２に入力すると、その緊急情報は、前記総合無線装置に送信させる。この総合無線装置には、前記音声告知設備３と同じ、前記入力される緊急情報に対応する、例えば、（１）「只今、防災情報を流しています。詳細は＊＊チャンネルに切り替えて下さい。」、（２）「只今、避難勧告が出ています。詳細は、＊＊チャンネルに切り替えて下さい。」等が記録されている。
【００２０】
そこで、前記緊急情報によって、例えば、（１）「只今、防災情報を流しています。詳細は＊＊チャンネルに切り替えて下さい。」という音声情報が選択されると、各地域に設置の無線機に送信し、拡声器から前記（１）「只今、防災情報を流しています。詳細は＊＊チャンネルに切り替えて下さい。」と発する。
この拡声器によって、ケーブルテレビ契約者は情報を入手して、テレビチャンネルを切り替えることができて、、緊急画像を見ることができる。
尚、前記文字情報自動送出設備２と総合無線装置の間の情報は、無線式の他有線式であってもよい。
【図面の簡単な説明】
【００２１】
【図１】ケーブルテレビの系統図である。
【符号の説明】
【００２２】
１  情報発信側
２  文字情報自動送出設備
２ａ  文字入力装置
３  音声告知設備
４  制御ケーブル
５  情報の受信側
８  音声受信端末
１０  ケーブル
【図１】
2008270865.tif 000003